(57)【要約】【課題】スレーブディスクにマスターディスクの磁気パターンを転写する磁気転写方法及び磁気転写装置において、全領域において、磁化パターンの乱れを抑えた良好な磁気転写を行うことができる磁気転写方法及び磁気転写装置を提供すること。【解決手段】磁気転写方法及び磁気転写装置１０において、初期磁化用磁界Ｈinの印加方向が、スレーブディスク２と平行な面において、スレーブディスク２の最内周トラックＴ１における記録再生用磁気ヘッド８１のトラッキング走査方向と略垂直になるように構成した。【選択図】      図７
2006228384.tif 000002
【特許請求の範囲】
【請求項１】
磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写方法において、
前記初期磁化用磁界の印加方向が、前記スレーブディスクと平行な面において、前記スレーブディスクの最内周トラックにおける記録再生用磁気ヘッドのトラッキング走査方向と略垂直になるように印加することを特徴とする磁気転写方法。
【請求項２】
磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写方法において、
前記転写用磁界の印加方向が、前記スレーブディスクと平行な面において、前記スレーブディスクの最内周トラックにおける記録再生用磁気ヘッドのトラッキング走査方向と略垂直になるように印加することを特徴とする磁気転写方法。
【請求項３】
磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写方法において、
前記初期磁化用磁界及び前記転写用磁界の印加方向が、前記スレーブディスクと平行な面において、前記スレーブディスクの最内周トラックにおける記録再生用磁気ヘッドのトラッキング走査方向と略垂直になるように印加することを特徴とする磁気転写方法。
【請求項４】
前記スレーブディスクの中心を、前記初期磁化用の磁界発生装置から発生される磁界分布の中心軸線上からシフトした位置に配置して、前記初期磁化用磁界の印加方向が、前記スレーブディスクと平行な面において、前記スレーブディスクの最内周トラックにおける記録再生用磁気ヘッドのトラッキング走査方向と略垂直になるようにしたことを特徴とする請求項１又は請求項３に記載の磁気転写方法。
【請求項５】
前記スレーブディスクの中心を、前記転写用の磁界発生装置から発生される磁界分布の中心軸線上からシフトした位置に配置して、前記転写用磁界の印加方向が、前記スレーブディスクと平行な面において、前記スレーブディスクの最内周トラックにおける記録再生用磁気ヘッドのトラッキング走査方向と略垂直になるようにしたことを特徴とする請求項２又は請求項３に記載の磁気転写方法。
【請求項６】
磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写装置において、
前記初期磁化用磁界の印加方向が、前記スレーブディスクと平行な面において、前記スレーブディスクの最内周トラックにおける記録再生用磁気ヘッドのトラッキング走査方向と略垂直になるように印加する初期磁化用磁界発生装置が設けられたことを特徴とする磁気転写装置。
【請求項７】
磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写装置において、
前記転写用磁界の印加方向が、前記スレーブディスクと平行な面において、前記スレーブディスクの最内周トラックにおける記録再生用磁気ヘッドのトラッキング走査方向と略垂直になるように印加する転写用磁界発生装置が設けられたことを特徴とする磁気転写装置。
【請求項８】
磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写装置において、
前記初期磁化用磁界の印加方向が、前記スレーブディスクと平行な面において、前記スレーブディスクの最内周トラックにおける記録再生用磁気ヘッドのトラッキング走査方向と略垂直になるように印加する初期磁化用磁界発生装置と、
前記転写用磁界の印加方向が、前記スレーブディスクと平行な面において、前記スレーブディスクの最内周トラックにおける記録再生用磁気ヘッドのトラッキング走査方向と略垂直になるように印加する転写用磁界発生装置と、が設けられたことを特徴とする磁気転写装置。
【請求項９】
前記スレーブディスクの中心を、前記初期磁化用の磁界発生装置から発生される磁界分布の中心軸線上からシフトした位置に配置して、前記初期磁化用磁界の印加方向が、前記スレーブディスクと平行な面において、前記スレーブディスクの最内周トラックにおける記録再生用磁気ヘッドのトラッキング走査方向と略垂直になるように構成したことを特徴とする請求項６又は請求項８に記載の磁気転写装置。
【請求項１０】
前記スレーブディスクの中心を、前記転写用の磁界発生装置から発生される磁界分布の中心軸線上からシフトした位置に配置して、前記転写用磁界の印加方向が、前記スレーブディスクと平行な面において、前記スレーブディスクの最内周トラックにおける記録再生用磁気ヘッドのトラッキング走査方向と略垂直になるように構成したことを特徴とする請求項７又は請求項８に記載の磁気転写装置。
【発明の詳細な説明】
【技術分野】
【０００１】
本発明は、磁気転写方法及び磁気転写装置に関し、特に転写する情報がパターン状に形成されたマスターディスクから磁気記録媒体である被転写用のスレーブディスクに情報を磁気転写するための磁気転写方法及び磁気転写装置に関する。
【背景技術】
【０００２】
ハードディスク装置やフレキシブルディスク装置等に用いられる高密度磁気記録媒体である磁気ディスクは、高速アクセスが可能であるとともに情報記録容量のより大容量化が求められている。
【０００３】
この大容量化を実現するために、トラック幅はより狭トラック化され、この狭いトラック幅の中で磁気ヘッドを正確に走査する、いわゆるトラッキングサーボ技術が重要な役割を担っている。
【０００４】
磁気ディスクには、所定の間隔でトラッキング用のサーボ信号やアドレス情報信号、及び再生クロック信号等がトラッキングサーボを行うためにプリフォーマットとして記録されている。
【０００５】
このプリフォーマットを正確にかつ短時間で効率的に行う方法として、本出願人は、高密度磁気記録媒体となる被転写用ディスク（以下スレーブディスクと呼称する）に転写すべき情報に対応した凹凸パターンの磁性層を有するマスターディスクを用意するとともに、スレーブディスクの磁性層を予めトラックの一方向に初期磁化し、その後、この初期磁化されたスレーブディスクとマスターディスクとを密着させた状態で初期磁化方向と略逆向きの転写用磁界を印加する磁気転写方法を提案している（例えば、特許文献１参照。）。
【０００６】
この場合、スレーブディスクの磁性層を初期磁化するために印加する初期直流磁界の最適強度は、スレーブディスクの磁性層の保持力Ｈｃの２倍程度以上であり、転写用磁界の最適強度はスレーブディスクの磁性層の保持力Ｈｃ程度であった。
【特許文献１】特開２００１−０１４６６７号公報
【発明の開示】
【発明が解決しようとする課題】
【０００７】
ところで、高密度磁気記録媒体であるハードディスクが組み込まれたハードディスクドライブを図１に示す。ハードディスクとしてのスレーブディスク２は軸８６に取り付けられて回転する。スレーブディスク２に記録された情報を読み取る記録再生用磁気ヘッド８１はサスペンション８２に取り付けられ、板ばね８３で回転軸８４に固定されて、ボイスコイルモータ８５によって図の一点鎖線で示す軌道上を移動する。
【０００８】
この軌道をトラッキング走査軌道Ｒと称する。トラッキング走査軌道Ｒは回転軸８４を中心とした円弧となっており、記録再生用磁気ヘッド８１がこのトラッキング走査軌道Ｒ上を正確に走査してトラックとの位置合わせを行う。
【０００９】
また、前述のマスターディスクのスレーブディスクに転写すべき情報に対応した磁性層の凹凸パターンは、例えば図２に示すようなもので、凸部３Ｂと凹部３Ｃとからなり、凸部３Ｂの磁性層がスレーブディスクの磁性層に密着した状態で磁気転写が行われる。
【００１０】
図２において、矢印Ｘはマスターディスク３の円周方向（トラック方向）を示し、矢印Ｙはマスターディスク３の半径方向を示している。また、Ｐはトラック幅を示している。
【００１１】
図３は、マスターディスクの凹凸パターンの凸部３Ｂを誇張して記載したものである。マスターディスク３は、中心孔３Ａを有し、中心孔３Ａから外周に向けてトラックが形成されている。
【００１２】
各トラックの凹凸パターンの凸部３Ｂの向きは、図３に示すように、記録再生用磁気ヘッド８１のトラッキング走査軌道Ｒの接線方向（トラッキング走査方向）と略合致するように形成される。
【００１３】
そのため、スレーブディスク２の初期磁化用の磁界の方向、及び転写用磁界の方向（向きは互いに逆向きであるが）は、各半径方向の位置のトラック全てに対して、トラッキング走査軌道Ｒの接線方向（トラッキング走査方向）と直行する方向に印加することが好ましい。
【００１４】
このように、各半径方向の位置の全てのトラックに対して初期磁化用、及び転写用の磁界印加方向をトラッキング走査方向と直行させることによって、精度のよい磁気転写が行われるとともに、再生信号出力を大にして良好なトラッキング走査を行うことができるのである。
【００１５】
しかし、前述のように、スレーブディスク２の全面のトラックに対して、磁界印加方向をトラッキング走査方向と直行させることは非常に困難であり、高精度な磁気転写を行ううえで障害となっていた。
【００１６】
本発明は、このような事情に鑑みてなされたもので、初期磁化されたスレーブディスクにマスターディスクの磁気パターンを転写する磁気転写方法及び磁気転写装置において、最内周トラックから最外周トラックに亘る全領域において、磁化パターンの乱れを抑えた良好な磁気転写を行うことができる磁気転写方法及び磁気転写装置を提供することを目的とする。
【課題を解決するための手段】
【００１７】
前記目的を達成するために、請求項１に記載の発明は、磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写方法において、前記初期磁化用磁界の印加方向が、前記スレーブディスクと平行な面において、前記スレーブディスクの最内周トラックにおける記録再生用磁気ヘッドのトラッキング走査方向と略垂直になるように印加することを特徴とする。
【００１８】
また、請求項２に記載の発明は、磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写方法において、前記転写用磁界の印加方向が、前記スレーブディスクと平行な面において、前記スレーブディスクの最内周トラックにおける記録再生用磁気ヘッドのトラッキング走査方向と略垂直になるように印加することを特徴とする。
【００１９】
また、請求項３に記載の発明は、磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写方法において、前記初期磁化用磁界及び前記転写用磁界の印加方向が、前記スレーブディスクと平行な面において、前記スレーブディスクの最内周トラックにおける記録再生用磁気ヘッドのトラッキング走査方向と略垂直になるように印加することを特徴とする。
【００２０】
また、請求項４に記載の発明は、請求項１又は請求項３の発明において、前記スレーブディスクの中心を、前記初期磁化用の磁界発生装置から発生される磁界分布の中心軸線上からシフトした位置に配置して、前記初期磁化用磁界の印加方向が、前記スレーブディスクと平行な面において、前記スレーブディスクの最内周トラックにおける記録再生用磁気ヘッドのトラッキング走査方向と略垂直になるようにしたことを特徴とする。
【００２１】
また、請求項５に記載の発明は、請求項２又は請求項３の発明において、前記スレーブディスクの中心を、前記転写用の磁界発生装置から発生される磁界分布の中心軸線上からシフトした位置に配置して、前記転写用磁界の印加方向が、前記スレーブディスクと平行な面において、前記スレーブディスクの最内周トラックにおける記録再生用磁気ヘッドのトラッキング走査方向と略垂直になるようにしたことを特徴とする。
【００２２】
また、請求項６に記載の発明は、磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写装置において、前記初期磁化用磁界の印加方向が、前記スレーブディスクと平行な面において、前記スレーブディスクの最内周トラックにおける記録再生用磁気ヘッドのトラッキング走査方向と略垂直になるように印加する初期磁化用磁界発生装置が設けられたことを特徴とする。
【００２３】
また、請求項７に記載の発明は、磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写装置において、前記転写用磁界の印加方向が、前記スレーブディスクと平行な面において、前記スレーブディスクの最内周トラックにおける記録再生用磁気ヘッドのトラッキング走査方向と略垂直になるように印加する転写用磁界発生装置が設けられたことを特徴とする。
【００２４】
また、請求項８に記載の発明は、磁性層が同心円状のトラックの一方向に初期磁化された被転写用のスレーブディスクと、前記スレーブディスクの磁性層に対して情報を転写するためのパターン状の磁性層を表面に備えたマスターディスクとを密着させた状態で、前記初期磁化の方向と反対方向に転写用磁界を印加して、前記スレーブディスクの磁性層に前記情報を磁気的に転写する磁気転写装置において、前記初期磁化用磁界の印加方向が、前記スレーブディスクと平行な面において、前記スレーブディスクの最内周トラックにおける記録再生用磁気ヘッドのトラッキング走査方向と略垂直になるように印加する初期磁化用磁界発生装置と、前記転写用磁界の印加方向が、前記スレーブディスクと平行な面において、前記スレーブディスクの最内周トラックにおける記録再生用磁気ヘッドのトラッキング走査方向と略垂直になるように印加する転写用磁界発生装置と、が設けられたことを特徴とする。
【００２５】
また、請求項９に記載の発明は、請求項６又は請求項８の発明において、前記スレーブディスクの中心を、前記初期磁化用の磁界発生装置から発生される磁界分布の中心軸線上からシフトした位置に配置して、前記初期磁化用磁界の印加方向が、前記スレーブディスクと平行な面において、前記スレーブディスクの最内周トラックにおける記録再生用磁気ヘッドのトラッキング走査方向と略垂直になるように構成したことを特徴とする。
【００２６】
また、請求項１０に記載の発明は、請求項７又は請求項８の発明において、前記スレーブディスクの中心を、前記転写用の磁界発生装置から発生される磁界分布の中心軸線上からシフトした位置に配置して、前記転写用磁界の印加方向が、前記スレーブディスクと平行な面において、前記スレーブディスクの最内周トラックにおける記録再生用磁気ヘッドのトラッキング走査方向と略垂直になるように構成したことを特徴とする。
【００２７】
本発明によれば、初期磁化用磁界の印加方向が、スレーブディスクと平行な面において、スレーブディスクの最内周トラックにおける記録再生用磁気ヘッドのトラッキング走査方向と略垂直になるように印加する初期磁化用磁界発生装置、及び／又は転写用磁界の印加方向が、スレーブディスクと平行な面において、スレーブディスクの最内周トラックにおける記録再生用磁気ヘッドのトラッキング走査方向と略垂直になるように印加する転写用磁界発生装置を設け、初期磁化用磁界及び／又は転写用磁界の印加方向が、スレーブディスクと平行な面において、スレーブディスクの最内周トラックにおける記録再生用磁気ヘッドのトラッキング走査方向と略垂直になるように印加するので、磁気転写条件の厳しい内周側のトラックに対して磁界印加方向を最適な方向に規制し、印加方向が多少最適方向からずれていても実用上問題のない外周側トラックで規制を緩め、全体として良好な磁気転写を行うことができるようにした。そのため、精度良くトラッキング走査を行うことができる。
【００２８】
また、スレーブディスクの中心を、初期磁化用の磁界発生装置及び／又は転写用の磁界発生装置から発生される磁界分布の中心軸線上からシフトした位置に配置するので、容易に初期磁化用磁界及び／又は前記転写用磁界の印加方向を、前記スレーブディスクと平行な面において、前記スレーブディスクの最内周トラックにおける記録再生用磁気ヘッドのトラッキング走査方向と略垂直になるように印加することができる。
【発明の効果】
【００２９】
以上説明したように本発明の磁気転写方法及び磁気転写装置によれば、初期磁化用磁界が、スレーブディスクと平行な面において、スレーブディスクの最内周トラックにおける記録再生用磁気ヘッドのトラッキング走査方向と略垂直になるように印加するので、条件の厳しい内周側のトラックに対して磁界印加方向を最適な方向にすることができ、全体として良好な初期磁化を行うことができる。
【発明を実施するための最良の形態】
【００３０】
以下添付図面に従って、本発明に係る磁気転写方法及び磁気転写装置の好ましい実施の形態について詳説する。なお、各図において同一部材には同一の番号または記号を付している。
【００３１】
図４は、被転写ディスクであるスレーブディスクを初期磁化する初期磁化手段（初期磁化用磁界発生装置）の主要部を表わす斜視図である。磁気転写装置１０を構成する初期磁化手段２０は、スレーブディスク２を載置して回転する図示しないチャックステージ、及び磁石２０Ａ等からなっている。磁石２０Ａは電磁石が用いられ、少なくともスレーブディスク２の最内周トラックから最外周トラックに亘って半径方向に延びるギャップ２１を構成するヘッドを備えたコア２２と、コアに巻きつけられた図示しないコイルとからなっている。
【００３２】
コイルに通電することにより直流磁界が発生し、チャックステージが図４に示す矢印Ａ方向に回転してスレーブディスク２の磁性層２ｂ、２ｃの全領域が一方向に磁化されるようになっている。図４に示すように、磁石２０Ａによってコア２２のヘッド間ギャップ２１にトラック方向に沿ってスレーブディスク２への初期直流磁界（初期磁化用磁界）Ｈinが発生される。なお、磁石２０Ａとして電磁石を用いたが、永久磁石を用いてもよい。
【００３３】
なお、初期直流磁界Ｈinは、スレーブディスク２の上面及び下面の磁性層２ｂ、２ｃの保持力Ｈｃの２倍程度以上の磁界が好ましい。そのため本実施の形態では、磁石２０Ａのギャップ２１の間隔をスレーブディスク２の最内周トラックの半径の半分以下の数値とし、ギャップ２１とスレーブディスク２の磁性層２ｂとの距離を１０ｍｍ以下、好ましくは５ｍｍ以下、さらに好ましくは３ｍｍ以下の数値まで接近させる。例えば、最内周トラックの半径が４．７ｍｍのとき、ギャップ２１の間隔は２．３ｍｍ以下とし、ギャップ２１とスレーブディスク２の磁性層２ｂとの距離を３ｍｍ以下とする。
【００３４】
図５は、マスターディスクに磁気記録された情報をスレーブディスク２に磁気転写するための転写用磁界を印加する転写用磁界印加手段（転写用磁界発生装置）の主要部を表わす斜視図である。磁気転写装置１０を構成する転写用磁界印加手段３０は、スレーブディスク２とマスターディスクとを密着させた状態で保持するホルダ５０、ホルダ５０の上面及び下面に配置された磁石３０Ａと３０Ｂ、及びホルダ５０を支持するとともにホルダ５０を磁石３０Ａと３０Ｂに対して図の矢印Ａ方向に回転させる図示しない回転手段等で構成されている。
【００３５】
磁石３０Ａには電磁石が用いられ、図５に示すように、少なくともスレーブディスク２の最内周トラックから最外周トラックに亘って半径方向に延びるギャップ３１を構成するヘッドを備えたコア３２と、コア３２に巻きつけられた図示しないコイルとからなっている。磁石３０Ｂも同様な構成である。
【００３６】
コイルに通電することにより直流磁界が発生し、図示しない回転手段がホルダ５０を図２に示す矢印Ａ方向に回転してスレーブディスク２のトラック全領域にマスターディスクの情報が転写されるようになっている。なお、磁石３０Ａ、磁石３０Ｂとして電磁石を用いたが、永久磁石を用いてもよい。
【００３７】
なお、本実施の形態では、スレーブディスク２を２枚のマスターディスクで挟み込み、スレーブディスク２の上下両面にマスターディスクの情報を転写するように構成したため、ホルダ５０の上面及び下面に磁石３０Ａと磁石３０Ｂとを配置したが、１枚のマスターディスクを用いスレーブディスク２の上面又は下面のみに磁気情報を転写する場合は、磁石はホルダ５０の片側に１個配置するのみでもよい。
【００３８】
ホルダ５０は、図６示すように、下側ホルダ５１、上側ホルダ５２等でなり、スレーブディスク２は、下面の磁性層２ｃとマスターディスク３の上面の磁性層とが密着され、更に上面の磁性層２ｂとマスターディスク４の下面の磁性層とが密着された状態で下側ホルダ５１と上側ホルダ５２で挟持される。スレーブディスク２はこの状態でホルダ５０の上下両面から転写用磁界が印加され、スレーブディスク２の上下両面にマスターディスク３、及び４のサーボ信号等の磁気情報が転写される。
【００３９】
図５に示すように、磁石３０Ａによってコア３２のヘッド間ギャップ３１にトラック方向に沿って、初期磁化とは逆方向にスレーブディスク２への転写用磁界Ｈduが発生される。電磁石３０Ｂの側も同様である。
【００４０】
なお、転写用磁界Ｈduの強度は、スレーブディスク２の上面及び下面の磁性層２ｂ、２ｃの保持力Ｈｃの０．６倍〜１．３倍が好ましく、より好ましくは０．８倍〜１．２倍、更に好ましくは１倍〜１．１倍である。
【００４１】
次に、初期磁化手段２０及び転写用磁界印加手段３０による磁界印加方向について詳細に説明する。図７は、スレーブディスク２に初期磁化用の磁界を印加する様子を表す概念平面図である。スレーブディスク２の中心Ｑが、図７に示すように、磁石２０Ａによって発生される初期直流磁界Ｈinの分布の中心軸線（この場合は磁石２０Ａのギャップの中心線）Ｃ２から距離Ｓだけシフトするように磁石２０Ａが配置されている。
【００４２】
この距離Ｓは、初期直流磁界Ｈinの印加方向が、スレーブディスク２の最内周トラックＴ１における記録再生用磁気ヘッド８１のトラッキング走査軌道Ｒの接線（トラッキング走査方向）に対して９０°±５°（好ましくは９０°±３°、更に好ましくは９０°±２°）となるように定める。
【００４３】
この場合、図７から明らかなように、最外周トラックＴｎでは、直流磁界Ｈinの印加方向はトラッキング走査方向に対して９０°からは多少ずれる。しかし、スレーブディスク２の外周側トラックでは９０°からは多少ずれても、実用上問題はない。
【００４４】
この状態で磁石２０Ａ又はスレーブディスク２をスレーブディスク２の中心Ｑを回転中心として相対的に回転させ（図の矢印Ａ方向）、スレーブディスク２全面のトラックに対して初期磁化する。
【００４５】
図８は、スレーブディスク２とマスターディスク３とを密着させた状態で、転写用の磁界を印加する様子を表す概念平面図である。転写用磁界も初期磁化用の磁界同様、マスターディスク３及びスレーブディスク２の中心Ｑが、図８に示すように、磁石３０Ａによって発生される転写用磁界Ｈduの分布の中心軸線（この場合は磁石３０Ａのギャップの中心線）Ｃ3 から距離Ｓだけシフトするように磁石３０Ａが配置されている。
【００４６】
この距離Ｓも、転写用磁界Ｈduの印加方向が、スレーブディスク２（マスターディスク３）の最内周トラックＴ１における記録再生用磁気ヘッド８１のトラッキング走査軌道Ｒの接線（トラッキング走査方向）に対して９０°±５°（好ましくは９０°±３°、更に好ましくは９０°±２°）となるように定める。
【００４７】
この場合も、図８から明らかなように、最外周トラックＴｎでは、転写用磁界Ｈduの印加方向はトラッキング走査方向に対して９０°からは多少ずれる。しかし、スレーブディスク２（マスターディスク３）の外周側トラックでは９０°からは多少ずれても、実用上問題はない。
【００４８】
この状態で磁石３０Ａ又はスレーブディスク２とマスターディスク３の密着体をスレーブディスク２（マスターディスク３）の中心Ｑを回転中心として相対的に回転させ（図の矢印Ａ方向）、スレーブディスク２全面のトラックに対してマスターディスク３の磁気情報を磁気転写する。
【００４９】
図９は、図８におけるマスターディスク３の最内周トラックＴ１の部分の拡大図である。図９に示すように、磁石３０Ａによって発生される転写用磁界Ｈduの分布の中心軸線（この場合は磁石３０Ａのギャップの中心線）Ｃ3 から距離Ｓだけシフトするように磁石３０Ａが配置され、転写用磁界Ｈduの印加方向が、最内周トラックＴ１における記録再生用磁気ヘッド８１のトラッキング走査軌道Ｒの接線（トラッキング走査方向）に対して９０°±５°（好ましくは９０°±３°、更に好ましくは９０°±２°）となるように磁石３０Ａ（又はスレーブディスク２とマスターディスク３の密着体）の位置が調整されている。言い換えれば、マスターディスク３の最内周トラックＴ１においては、凹凸パターンの凸部３Ｂの転写用磁界Ｈduが印加される側の辺と転写用磁界Ｈduの印加方向とのなす角度αが９０°±５°（好ましくは９０°±３°、更に好ましくは９０°±２°）となるように調整されている。
【００５０】
このように、磁石２０Ａ、３０Ａの位置をディスクの中心Ｑから所定量シフトするだけで、磁界の印加方向を最内周トラックＴ１におけるトラッキング走査方向に対して略直角にすることができ、転写条件の厳しい内周側のトラックに対して磁界印加方向を最適な方向に規制し、印加方向が多少最適方向からずれていても実用上問題のない外周側トラックで規制を緩め、全体として良好な磁気転写を行うことができるようになっている。
【００５１】
次に、マスターディスク３の磁気パターンをスレーブディスク２の磁性層２ｃに磁気転写する磁気転写方法と転写メカニズムについて説明する。
【００５２】
図１０は、磁気転写工程を表わす説明図である。なお、図１０においては、スレーブディスク２の上側の磁性層２ｂは省略し、下側の磁性層２ｃへの転写のみで記載して図及び説明の単純化を図っている。
【００５３】
先ず最初に、図１０（ａ）に示すように、スレーブディスク２の初期磁化を行う。初期磁化は、図４に示すように、スレーブディスク２を初期磁化手段２０の図示しないチャックステージに固定し、磁石２０Ａによってトラックの接線方向に沿った初期直流磁界Ｈinを一方向に発生させる。それとともにチャックステージを磁石２０Ａに対して１回転以上回転させ、スレーブディスク２の磁性層２ｂ、２ｃの全トラック領域への初期直流磁界の印加を行う。
【００５４】
この時、初期直流磁界Ｈinの印加方向が、スレーブディスク２の最内周トラックＴ１における記録再生用磁気ヘッド８１のトラッキング走査軌道Ｒの接線（トラッキング走査方向）に対して９０°±５°（好ましくは９０°±３°、更に好ましくは９０°±２°）となるように定めてある。
【００５５】
なお、スレーブディスク２の初期磁化は、スレーブディスク２の上下両面の磁性層２ｂ、２ｃに対し同時に行ってもよく、あるいはどちらか片面ずつ２回に分けて行ってもよい。
【００５６】
次に、図５に示すように、初期磁化されたスレーブディスク２の上下面をマスターディスク３、及び４に密着させてホルダ５０で挟持し、転写用磁界印加手段３０の図示しない回転手段に保持させる。
【００５７】
次いで、磁石３０Ａ、及び３０Ｂによって初期磁化の向きとは逆向きの磁界Ｈduを発生させ、ホルダ５０を磁石３０Ａ、３０Ｂに対して１回転以上回転させ、トラックの全領域への転写用磁界の印加を行い、マスターディスク３、及び４に磁気パターンとして記録されていた情報をスレーブディスク２の上下面に磁気転写する。
【００５８】
この時、転写用磁界Ｈduの印加方向が、スレーブディスク２（マスターディスク３）の最内周トラックＴ１における記録再生用磁気ヘッド８１のトラッキング走査軌道Ｒの接線（トラッキング走査方向）に対して９０°±５°（好ましくは９０°±３°、更に好ましくは９０°±２°）となるように定めてある。
【００５９】
この転写メカニズムは以下のようになっている。即ち、図１０（ｂ）に示すように、マスターディスク３の磁性層３ｂには磁気情報が凹凸の磁性層パターンとして形成されている。このマスターディスク３の磁性層３ｂに接しないスレーブディスク２の磁性層２ｃ表面は転写用磁界Ｈduよりも強い磁界が印加されるため、転写磁界がスレーブディスク２の磁性層２ｃの保持力Ｈｃを超えるとその部分の磁化は反転する。
【００６０】
一方、マスターディスク３の磁性層３ｂに接するスレーブディスク２の磁性層２ｃでは、転写用磁界Ｈduがマスターディスク３の磁性層３ｂに集中する。すなわちその部分は転写磁界がシールドされた状態となる。その結果、スレーブディスク２の磁性層２ｃには転写用磁界Ｈduよりも大幅に弱い磁界しか印加されないため、スレーブディスク２の磁化は転写用磁界Ｈduに影響されず初期磁化の向きに残り、図１０（ｃ）に示すような磁化状態となる。これにより、スレーブディスク２の磁性層２ｃにはマスターディスク３の磁性層３ｂに形成されたパターン状の磁気情報が転写され磁気記録される。
【００６１】
なお、本実施の形態において、磁気転写装置１０はスレーブディスク２及びマスターディスク３、４を水平に保持する構成で説明したが、水平方向に限らず、鉛直方向に保持する構成としてもよく、あるいは水平方向に対して所定角度傾斜した方向に保持するようにしてもよい。
【図面の簡単な説明】
【００６２】
【図１】ハードディスクドライブを説明する平面図
【図２】マスターディスクの凹凸パターンを表す斜視図
【図３】マスターディスクの凸部を誇張した平面図
【図４】磁気転写装置の初期磁化手段を示す斜視図
【図５】転写用磁界印加手段を示す斜視図
【図６】ホルダを説明する斜視図
【図７】本発明の実施の形態に係る磁気転写方法を説明する概念平面図１
【図８】本発明の実施の形態に係る磁気転写方法を説明する概念平面図２
【図９】図８における最内周トラック部の拡大図
【図１０】磁気転写の工程を説明する概念図
【符号の説明】
【００６３】
２…スレーブディスク（被転写ディスク）；２ｂ、２ｃ、３ｂ、４ｂ…磁性層；３、４…マスターディスク；１０…磁気転写装置；２０…初期磁化手段（初期磁化用磁界発生装置）；３０…転写用磁界印加手段（転写用磁界発生装置）；８１…記録再生用磁気ヘッド；Ｃ２、Ｃ３…磁界分布の中心軸線；Ｈin…初期直流磁界（初期磁化用磁界）；Ｈdu…転写用磁界；Ｑ…中心；Ｒ…トラッキング走査軌道；Ｔ１…最内周トラック；Ｔｎ…最外周トラック
【図１】
2006228384.tif 000003
【図２】
2006228384.tif 000004
【図３】
2006228384.tif 000005
【図４】
2006228384.tif 000006
【図５】
2006228384.tif 000007
【図６】
2006228384.tif 000008
【図７】
2006228384.tif 000009
【図８】
2006228384.tif 000010
【図９】
2006228384.tif 000011
【図１０】
2006228384.tif 000012